(57)【特許請求の範囲】
【請求項１】
ケースの一側面である表面にはパネル操作用の操作面を形成するとともに、ケース内部には回路基板及び該回路基板に取り付けられて操作面を照明する照明装置を備えた防水操作パネルにおいて、
前記回路基板はシール用の樹脂剤にて封止され、前記照明装置には当該照明装置を囲う保護部材を設け、前記保護部材は前記回路基板に取り付けられており、その保護部材にて前記樹脂剤と照明装置とを隔離するとともに、更に、保護部材の先端部には着脱可能な蓋部材を設け、前記保護部材の先端部は前記樹脂剤から前記ケースの裏面側へ突出されて前記蓋部材が樹脂剤からケースの裏面側へ突出され、前記蓋部材によって保護部材の先端部は閉塞されて該保護部材内をシールする防水操作パネル。
【請求項２】
前記ケース内には、該ケース内を表面側室と裏面側室とに区画する区画板部が形成され、前記区画板部にはその裏面側室側に前記回路基板が取り付けられ、前記表面側室には照明装置からの光を操作面全体に分配するライトガイドを設けた請求項１記載の防水操作パネル。
【請求項３】
前記シール用の樹脂剤は透明な樹脂剤であって、その樹脂剤をケース内全体に封入した請求項１記載の防水操作パネル。
【請求項４】
ケースの一側面である表面にはパネル操作用の操作面を形成するとともに、ケース内部には回路基板及び操作面を照明する照明装置を備えた防水操作パネルにおいて、
前記回路基板はシール用の樹脂剤にて封止され、前記照明装置には当該照明装置を囲う保護部材を設け、その保護部材内には取付板を設けて当該取付板に前記照明装置が取り付けられ、前記保護部材は前記回路基板に取り付けられており、その保護部材にて前記樹脂剤と照明装置とを隔離するとともに、更に、保護部材の先端部には着脱可能な蓋部材を設け、前記保護部材の先端部は前記樹脂剤から前記ケースの裏面側へ突出されて前記蓋部材が樹脂剤からケースの裏面側へ突出され、前記蓋部材によって保護部材の先端部は閉塞されて該保護部材内をシールする防水操作パネル。
【請求項５】
ケースの一側面である表面にはパネル操作用の操作面を形成するとともに、ケース内部には回路基板及び操作面を照明する照明装置を備えた防水操作パネルにおいて、
前記ケース内には、該ケース内を表面側室と裏面側室とに区画する区画板部が形成され、前記区画板部にはその裏面側室側に前記回路基板が取り付けられ、
前記回路基板はシール用の樹脂剤にて封止され、前記照明装置には当該照明装置を囲う保護部材を設け、その保護部材内には取付板を設けて当該取付板に前記照明装置が取り付けられ、前記保護部材は前記区画板部に取り付けられており、その保護部材にて前記樹脂剤と照明装置とを隔離するとともに、更に、保護部材の先端部には着脱可能な蓋部材を設け、前記保護部材の先端部は前記樹脂剤から前記ケースの裏面側へ突出されて前記蓋部材が樹脂剤からケースの裏面側へ突出され、前記蓋部材によって保護部材の先端部は閉塞されて該保護部材内をシールする防水操作パネル。
【請求項６】
ケースの一側面である表面にはパネル操作用の操作面を形成するとともに、ケース内部には回路基板及び操作面を照明する照明装置を備えた防水操作パネルにおいて、
前記ケースには、その表面側に表面板部が形成され、その表面板部に前記操作面が形成され、前記ケース内部の前記表面板部よりも裏面側には前記回路基板が取り付けられ、
前記回路基板はシール用の樹脂剤にて封止され、前記照明装置には当該照明装置を囲う保護部材を設け、その保護部材内には取付板を設けて当該取付板に前記照明装置が取り付けられ、前記保護部材は前記表面板部に取り付けられており、その保護部材にて前記樹脂剤と照明装置とを隔離するとともに、更に、保護部材の先端部には着脱可能な蓋部材を設け、前記保護部材の先端部は前記樹脂剤から前記ケースの裏面側へ突出されて前記蓋部材が樹脂剤からケースの裏面側へ突出され、前記蓋部材によって保護部材の先端部は閉塞されて該保護部材内をシールする防水操作パネル。
【発明の詳細な説明】
【０００１】
【産業上の利用分野】
本発明は防水操作パネルに関するものである。
【０００２】
【従来の技術】
従来、農業機械及び建設機械等に使用される操作パネルは直接風雨にさらされるため防水構造とする必要がある。通常、この操作パネルは操作面側と裏面側との２つケースによって構成され、前記防水構造とするために操作面側と裏面側の各ケースの合わせ面をシールしている。これらケース内部にはランプ等からなる照明装置が設けられ、照明装置は操作パネルの表面に貼り付けた樹脂フィルム等からなるラベルに光を内部から照射し、当該ラベルを内側から発光させるようになっている。そして、この照明装置は例えば夜間照明等に使用され、ラベル上に書かれた文字等の各種表示を夜間でも容易に視認できるようにしている。
【０００３】
【発明が解決しようとする課題】
しかしながら、この操作パネルは２つのケースからなり、その合わせ面等をシールすることから構成されているので操作パネル自体が大型化するという問題がある。更に、照明装置の取り付け、取り外し等のメンテナンス作業を行う場合にも、例えばこれら各ケースを互いに分離して行う必要があり、そのメンテナンス作業に手間がかかるという問題がある。又、完全にケース内がシールされているので、気温の変化等によって、気温とケース内の温度との間に温度差が生じ、照明されるラベル部分に結露が生じて視認性が悪くなるという問題がある。
【０００４】
本発明は上記問題点を解決するためになされたものであって、その目的は、小型化できるとともに、容易に照明装置の取り付け、取り外しを行うことができる防水操作パネルを提供することにある。
【０００５】
【課題を解決するための手段】
請求項１に記載の発明は、ケースの一側面である表面にはパネル操作用の操作面を形成するとともに、ケース内部には回路基板及び該回路基板に取り付けられて操作面を照明する照明装置を備えた防水操作パネルにおいて、前記回路基板はシール用の樹脂剤にて封止され、前記照明装置には当該照明装置を囲う保護部材を設け、前記保護部材は前記回路基板に取り付けられており、その保護部材にて前記樹脂剤と照明装置とを隔離するとともに、更に、保護部材の先端部には着脱可能な蓋部材を設け、前記保護部材の先端部は前記樹脂剤から前記ケースの裏面側へ突出されて前記蓋部材が樹脂剤からケースの裏面側へ突出され、前記蓋部材によって保護部材の先端部は閉塞されて該保護部材内をシールすることをその要旨とする。
【０００６】
請求項２記載の発明によれば、請求項１記載の発明において、前記ケース内には、該ケース内を表面側室と裏面側室とに区画する区画板部が形成され、前記区画板部にはその裏面側室側に前記回路基板が取り付けられ、前記表面側室には照明装置からの光を操作面全体に分配するライトガイドを設けたことをその要旨とする。
【０００７】
請求項３記載の発明によれば、請求項１記載の発明において、前記シール用の樹脂剤をケース内全体に封入したことをその要旨とする。
請求項４に記載の発明は、ケースの一側面である表面にはパネル操作用の操作面を形成するとともに、ケース内部には回路基板及び操作面を照明する照明装置を備えた防水操作パネルにおいて、前記回路基板はシール用の樹脂剤にて封止され、前記照明装置には当該照明装置を囲う保護部材を設け、その保護部材内には取付板を設けて当該取付板に前記照明装置が取り付けられ、前記保護部材は前記回路基板に取り付けられており、その保護部材にて前記樹脂剤と照明装置とを隔離するとともに、更に、保護部材の先端部には着脱可能な蓋部材を設け、前記保護部材の先端部は前記樹脂剤から前記ケースの裏面側へ突出されて前記蓋部材が樹脂剤からケースの裏面側へ突出され、前記蓋部材によって保護部材の先端部は閉塞されて該保護部材内をシールすることをその要旨とする。
請求項５に記載の発明は、ケースの一側面である表面にはパネル操作用の操作面を形成するとともに、ケース内部には回路基板及び操作面を照明する照明装置を備えた防水操作パネルにおいて、前記ケース内には、該ケース内を表面側室と裏面側室とに区画する区画板部が形成され、前記区画板部にはその裏面側室側に前記回路基板が取り付けられ、前記回路基板はシール用の樹脂剤にて封止され、前記照明装置には当該照明装置を囲う保護部材を設け、その保護部材内には取付板を設けて当該取付板に前記照明装置が取り付けられ、前記保護部材は前記区画板部に取り付けられており、その保護部材にて前記樹脂剤と照明装置とを隔離するとともに、更に、保護部材の先端部には着脱可能な蓋部材を設け、前記保護部材の先端部は前記樹脂剤から前記ケースの裏面側へ突出されて前記蓋部材が樹脂剤からケースの裏面側へ突出され、前記蓋部材によって保護部材の先端部は閉塞されて該保護部材内をシールすることをその要旨とする。
請求項６に記載の発明は、ケースの一側面である表面にはパネル操作用の操作面を形成するとともに、ケース内部には回路基板及び操作面を照明する照明装置を備えた防水操作パネルにおいて、前記ケースには、その表面側に表面板部が形成され、その表面板部に前記操作面が形成され、前記ケース内部の前記表面板部よりも裏面側には前記回路基板が取り付けられ、前記回路基板はシール用の樹脂剤にて封止され、前記照明装置には当該照明装置を囲う保護部材を設け、その保護部材内には取付板を設けて当該取付板に前記照明装置が取り付けられ、前記保護部材は前記表面板部に取り付けられており、その保護部材にて前記樹脂剤と照明装置とを隔離するとともに、更に、保護部材の先端部には着脱可能な蓋部材を設け、前記保護部材の先端部は前記樹脂剤から前記ケースの裏面側へ突出されて前記蓋部材が樹脂剤からケースの裏面側へ突出され、前記蓋部材によって保護部材の先端部は閉塞されて該保護部材内をシールすることをその要旨とする。
【０００８】
【作用】
従って、請求項１，４〜６記載の発明によれば、防水操作パネルは、例えば夜間等に照明装置を発光させることによって操作面が照明される。この防水操作パネルにおいてケース内部の回路基板は樹脂剤によってシールされ、照明装置は保護部材によってシールされている。この照明装置を交換する場合には、まず、蓋部材を取り外して保護部材内を開放させた状態で行い、照明装置の取り付け、取り外し等の交換作業が終了すると、蓋部材を締め付け、保護部材を閉塞する。
【０００９】
請求項２記載の発明によれば、照明装置が発した光は、ライトガイド内を伝達して、操作面全体に分配される。
請求項３記載の発明によれば、ケース内全体に樹脂剤が封入されているので、防水操作パネル全体は容易且つ確実にシール（例えば防水）される。
【００１０】
【実施例】
（第１実施例）
以下、本発明を具体化した第１実施例を図１に従って説明する。
【００１１】
図１は、建設機械及び農業機械を操作するために当該機械の運転室（キャビン）内に設置された防水操作パネル１を示している。この防水操作パネル１は合成樹脂からなる箱状のケース２を備え、ケース２には表面側と裏面側とを区画する区画板部３が形成されている。即ち、ケース２内は区画板部３によって表面側室４と裏面側室５とに区画されている。表面側室４にはアクリル樹脂等にて成形された透明のライトガイド６が配設されている。このライトガイド６は表面側室４の表面を閉塞するように配設されている。ライトガイド６は光を分配・伝達する作用を有し、区画板部３側からの光をケース２の表面全面に分配・伝達するようになっている。更に、ライトガイド６と区画板部３との間には、空間部７が形成されている。
【００１２】
ケース２の表面において、前記ライトガイド６の表面にはラベル８が貼り付けられている。このラベル８は透明な樹脂フィルムをベース材としてその裏面より印刷が施され、前記建設機械等を操作するための各種の文字やマーク等が印刷されている。そして、このラベル８にて操作面Ｓが形成されている。
【００１３】
ケース２の区画板部３には、裏面側室５側から防水操作パネル１を制御するための各種電子素子Ｅ等が取着された回路基板９がネジ９ａによって所定の間隔を隔てて取り付けられている。この回路基板９の区画板部３側には操作スイッチ１０が取着され、その操作軸１１は区画板部３を貫通して、ケース２の表面側に突出している。この操作軸１１には操作つまみ１２が嵌着され、作業者はこの操作つまみ１２を操作することによって建設機械等を操作するようになっている。操作スイッチ１０と区画板部３との間にはパッキン１４が挟着され、ケース２の表面側と裏面側とは互いにシールされている。
【００１４】
回路基板９には、照明装置としてのランプ１５がその発光部が区画板部３側になるように取り付けられている。そして、区画板部３には、そのランプ１５に対応した位置に貫通孔１６が形成されている。即ち、ランプ１５が発光すると貫通孔１６を介して前記空間部７に光が照射される。
【００１５】
又、回路基板９には、このランプ１５を保護するための樹脂製の保護部材としてのランプカバー１７が取り付けられている。このランプカバー１７は円筒形状をなし、ランプ１５を覆う第１円筒部１８と、第１円筒部１８よりも小径の第２円筒部１９とから構成されている。第１円筒部１８内において、区画板部３と基板９との間にはパッキン２０が挟着されるとともに、第１円筒部１８の底面１８ａと基板９との間にもパッキン２１が挟着されている。第２円筒部１９の先端部（ケース２の裏面側）にはその外周に雄ねじ部１９ａが形成されている。そして、この先端部には内周面に雌ねじ部２２が形成されたゴム材よりなる蓋部材としてのキャップ２３が螺着されている。即ち、このキャップ２３によってランプカバー１７の先端部は閉塞され、ランプカバー１７内をシールしている。更に、回路基板９には前記電子素子Ｅやランプ１５等に電源を供給するための電源コード２４が取着されている。
【００１６】
ケース２の裏面側室５には樹脂剤２５が封入されている。この状態において、裏面側室５に配設された回路基板９は樹脂剤２５にて覆われ封止されている。即ち、回路基板９は樹脂剤２５に覆われることによって防水されている。又、樹脂剤２５によってケース２の裏面側はシールされている。更に、前記ランプカバー１７の先端部は外方へ突出されている。従って、前記キャップ２３は樹脂剤２５よりも外方に取り付けられている。この場合、前記パッキン２０，２１にて樹脂剤２５がランプカバー１７内に流入しないようになっている。つまり、裏面側は樹脂剤２５にて確実にシール（防水）されるとともに、ランプカバー１７内はキャップ２３にてシールされている。
【００１７】
このように構成した防水操作パネル１では、例えば夜間等にランプ１５を点灯させると、ランプ１５からの光は貫通孔１６を介して空間部７に照射され、更に、空間部７からライトガイド６へと伝達される。ライトガイド６へ伝達された光は、ライトガイド６内にて、当該ライトガイド６全体へ分配・伝達される。即ち、その光はライトガイド６の表面全面へ伝達される。そして、ライトガイド６はラベル８の全面に対して当該ラベル８の裏面から光を照射する。すると、前記文字及びマーク部分のみ光を透過し、それら文字及びマーク部分が発光する。
【００１８】
この防水操作パネル１にて、ランプ１５を交換する場合には、キャップ２３を回転させてランプカバー１７から取り外す。そして、ランプ１５を回路基板９から取り外す。取り外したランプ１５をランプカバー１７の先端側から防水操作パネル１の外側へ取り出す。新たなランプ１５をランプカバー１７の先端側からランプカバー１７内に挿入し、ランプ１５を回路基板９に取り付ける。その後、キャップ２３を先端部に締め付け先端部を閉塞する。
【００１９】
従って、この防水操作パネル１の表面側はパッキン１４等によって、裏面側は樹脂剤２５及びキャップ２３等によって、防水操作パネル１を確実且つ容易にシールできる。この場合、裏面側を樹脂剤２５の封入にてシールすることにより、従来のように裏面側のケースが必要無くなり、小型な防水操作パネル１を提供できるとともに、簡単な防水構造を提供できる。しかも、この防水操作パネル１では、キャップ２３をランプカバー１７から取り外すことによって、ランプ１５の基板からの取り外し、基板１５への取り付けを容易に行うことができる。そして、ランプ１５の取り外し、取り付け及び交換等の各種のメンテナンス作業を完了した後、キャップ２３をランプカバー１７に締め付けるだけでランプカバー１７内を容易に防水できる。更に、防水操作パネル１では、表面側室４に樹脂剤２５が封入されていない空間部７を形成しているので、使用する樹脂剤２５の量を減らすことができるとともに、防水操作パネル１を軽量化することができる。
【００２０】
加えて、気温の変化によって、気温とケース２内との間に温度差が生じても、容易にキャップ２３を取り外してケース２内を外気に対して開放することによって容易に温度差を解消できる。このため、この温度差によって生じる操作面Ｓの結露等を容易に解消できる。
【００２１】
（第２実施例）
以下、本発明を具体化した第２実施例を図２に従って説明する。
図２は、建設機械及び農業機械を操作するために当該機械の運転室（キャビン）内に設置された防水操作パネル５１を示している。この防水操作パネル５１は合成樹脂からなる箱状のケース５２を備え、ケース５２にはその表面側に表面板部５３が形成されている。この表面板部５３には第１実施例にて説明したラベル８と同じ構成のラベル５４が貼り付けられている。又、表面板部５３にはラベル５４の文字及びマークが形成された部位と対応する位置に、貫通孔５４ａが形成されている。そして、このラベル５４にて操作面Ｓが形成されている。
【００２２】
ケース５２の裏面側、即ち、表面板部５３の裏面側には裏面側室５５が設けられている。裏面側室５５内において、表面板部５３よりも裏面側へ所定の距離だけ離れた位置に、回路基板５６が表面板部５３と平行に取り付けられている。
【００２３】
この回路基板５６には各種電子素子Ｅ及び操作スイッチ５７が取着されている。この回路基板５６はそのハンダ面５６ａが表側を向くように取り付けられている。そして、このハンダ面５６ａの白色部によって光を反射できる反射部Ｈを形成している。又、表面板部５３の裏面側及びケース５２の側壁には例えばアルミニウムのメッキ等が施され反射部Ｈが形成されている。
【００２４】
回路基板５６には第１実施例の操作スイッチ１０と同型の操作スイッチ５７が取着されている。操作スイッチ５７の操作軸５８は表面板部５３から表面側に突出されている。操作軸５８には操作つまみ５９が嵌着されている。更に、操作スイッチ５７と表面板部５３との間にはパッキン６０が取着されている。このパッキン６０によって操作軸５８側から水分等が侵入しないようにシールしている。
【００２５】
回路基板５６には照明装置としてのランプ６１が取着されている。ランプ６１の周囲には断面円形状の透明の合成樹脂からなる蓋状の蓋カバー６２が取着されている。又、ランプ６１が取着された回路基板５６の裏面側には円筒状の保護部材としてのランプカバー６３が取着されている。ランプカバー６３は大径の第１円筒部６４と小径の第２円筒部６５とからなり、第１円筒部６４は基板５６に取着され、第２円筒部６５の先端部（裏面側）には雄ねじ部６６が形成されている。この雄ねじ部６６には、内側に雌ねじ部６７を形成した蓋部材としてのキャップ６８が螺着されている。又、回路基板５６には電源コード６９が取着されている。回路基板５６には貫通孔７０が形成されている。
【００２６】
このケース５２の内部全体には透明なポッティング樹脂剤７１が封入され、この樹脂剤７１によって前記回路基板５６等が封止されている。そして、前記ランプカバー６３の先端部及び電源コード６９等が樹脂剤７１から裏面側へ突出している。この樹脂剤７１はケース５２の裏面側から注入され、貫通孔７０を介して回路基板５６と、表面板部５３との間に封入された後、回路基板５６よりも裏面側が封入される。
【００２７】
この防水操作パネル５１によれば、ランプ６１から発光された光は、表面板部５３と回路基板５６との間に導入され、各反射部Ｈにて反射を繰り返しながら、貫通孔５４ａからラベル５４に照射される。この場合、この貫通孔５４ａには文字やラベル等が対応しているので、それら文字やラベルの部分が発光する。
【００２８】
又、ランプ６１を交換する場合も、第１実施例の場合と同様にキャップ６８を取り外した状態で行われる。
従って、第２実施例によれば、ケース５２内全体に樹脂剤７１が充填されているので、確実且つ容易に防水操作パネル５１全体をシールすることができ、従来のように裏面側のケースが不要となるため、防水操作パネル５１を小型化できるとともに、簡単な防水構造を構成できる。更に、この樹脂剤７１は透明であるので容易にランプ６１の光を伝達させることができる。しかも、この防水操作パネル５１では、キャップ６８をランプカバー６３から取り外すことによって、ランプ６１の回路基板５６からの取り外し、回路基板５６への取り付けを容易に行うことができる。そして、ランプ６１の取り外し、取り付け及び交換等の各種のメンテナンス作業を完了した後、キャップ６８をランプカバー６３に締め付けるだけでランプカバー６３内を容易に防水できる。
【００２９】
尚、本発明は上記実施例に限定されるものではなく、発明の趣旨を逸脱しない範囲で、適宜に変更して次のように実施することもできる。
（１）第１，第２実施例において、キャップ２３，６８と、ランプカバー１７，６３とは螺合ではなく、例えば爪部材等による係合によって着脱できるように構成してもよい。
【００３０】
（２）第１，第２実施例において、ランプ１５，６１を基板に取り付けず、例えばランプカバー１７，６３内に取付板を設けその取付板にランプ１５，６１を取着し、ランプカバー１７，６３を区画板部３（表面板部５３）、基板９，５６等に取り付けてもよい。この場合、ランプ１５，６１を取り付ける位置の自由度が広がり、例えばよりラベル８，５４に近い位置に取り付けることによって照明効率を上げることができる。
【００３１】
上記実施例から把握できる請求項以外の技術思想について、以下にその効果とともに記載する。
（１）前記パネルは建設機械等の車両に設けられた。この防水操作パネルによれば、土砂や水分等を扱う建設機械等でも確実に防水でき、当該操作パネルの操作に基づいて車両を容易且つ確実に操作できる。
【００３２】
【発明の効果】
以上詳述したように請求項１，４〜６記載の発明によれば、樹脂剤にてケースをシールするため防水操作パネルを小型化できるとともに、蓋部材の着脱によってよって保護部材内の照明装置の交換を行うことができる。請求項２記載の発明によれば、ライトガイドによって、照明装置からの光を容易に操作面全体に分配させることができる。請求項３記載の発明によれば、ケース内全体に樹脂剤が充填されているので確実に防水操作パネル全体をシールできる。
【図面の簡単な説明】
【図１】  第１実施例の操作パネルを示す断面図。
【図２】  第２実施例の操作パネルを示す断面図。
【符号の説明】
１…防水操作パネル、２…ケース、６…ライトガイド、９…回路基板、１５…照明装置としてのランプ、１７…保護部材としてのランプカバー、２３…蓋部材としてのキャップ、２５…樹脂剤、５１…防水操作パネル、５２…ケース、５６…回路基板、６１…照明装置としてのランプ、６３…保護部材としてのランプカバー、６８…蓋部材としてのキャップ、７１…樹脂剤、Ｓ…操作面。
【図１】
0003655340.tif 000002
【図２】
0003655340.tif 000003